(57)【要約】【課題】従来の携帯電話機器では、使用者が、電子メールアドレスが対応付けて記憶されている操作キーを押下すると、その電子メールアドレスが入力されたメール編集画面が表示されるため、本文を入力した等に送信先を変更すると、全ての操作がやり直さなければならないという問題があった。【解決手段】本発明の携帯電話機器では、使用者が、画像データを確認した後に、送信先を選定し、その電子メールアドレスが対応付けて記憶されている操作キーを押下する。そうすると、該画像データが表示されている表示部に送信先の電子メールアドレスが表示され、使用者が、電子メールアドレスを可視的に確認した後、該画像データが添付された電子メールが送信される。つまり、本発明では、最終段階の操作で送信先を決定するので、操作のやり直し、誤送信を無くすことができる。【選択図】    図５
2004312525.tif 000002
【特許請求の範囲】
【請求項１】
画像データを記憶する画像データ記憶手段と、
電子メールアドレスを所望の操作キーに対応させて記憶させる電子メールアドレス記憶手段と、
前記操作キーを所定時間以上連続して押下されるか否か、または、前記操作キーを所定時間以内に複数回押下されるか否かを判断する操作キー押下判断手段と、
該操作キー押下判断手段に基づき前記画像データを押下された前記操作キーに対応する前記電子メールアドレス先に送信させる通信手段とを具備することを特徴とする携帯電話機器。
【請求項２】
前記画像データを表示する表示手段とを具備し、前記操作キー押下判断手段は、前記表示手段に前記操作キーへ対応する前記電子メールアドレス、または、前記操作キーへ対応する電話帳に登録されている名前を表示させることを特徴とする請求項１に記載の携帯電話機器。
【請求項３】
前記表示手段に表示される前記電子メールアドレス、または、前記名前の表示時間を判断する表示時間判断手段とを具備し、該表示時間判断手段が前記表示手段に所定時間以上の前記電子メールアドレス、または、前記名前の表示を判断した後、前記通信手段は前記画像データを前記電子メールアドレス先に送信させることを特徴とする請求項２に記載の携帯電話機器。
【請求項４】
前記電子メールアドレス記憶手段は、１つの前記操作キーに対し複数の電子メールアドレスを記憶させることを特徴とする請求項１から請求項３のいずれかに記載の携帯電話機器。
【請求項５】
入射光を電気信号に変換して画像データとして出力する撮像手段とを具備し、該撮影手段を介して前記画像データを取得することを特徴とする請求項１から請求項４のいずれかに記載の携帯電話機器。
【請求項６】
少なくとも宛先入力欄、本文入力欄が予め設けられた電子メール編集手段と、
電子メールアドレスを所望の操作キーに対応させて記憶させる電子メールアドレス記憶手段と、
前記操作キーを所定時間以上連続して押下されるか否かを判断する操作キー押下判断手段と、
前記電子メール編集手段の前記本文入力欄に所望の文書が入力された後、押下された前記操作キーに対応する前記電子メールアドレス先に前記文章を含む電子メールを送信させる通信手段とを具備することを特徴とする携帯電話機器。
【発明の詳細な説明】
【０００１】
【発明の属する技術分野】
本発明は、携帯電話機器の電子メール機能を用い、電子メールの送信を簡易に行う技術に関する。
【０００２】
【従来の技術】
近年、電子機器は小型化、高機能化が進んでいる。例えば、携帯電話機器では、画面が大型化し、大量の文字情報や画像を表示出来るようになっている。
【０００３】
すなわち、電子機器において表示画面が大型化し、多くの情報を表示出来るようになると共に、カラー化により画像の表示においても充分実用となるに従い、単なる文字の表示だけでなく、文字と画像を表示することが要望されている。
【０００４】
一方、最近の携帯電話機器の中には、撮像レンズおよび入力光を電気信号に変換する撮像素子を備えるカメラが搭載されたいわゆるカメラ付携帯電話機器があり、このカメラ付携帯電話機器では、記憶容量、画像表示サイズ、カメラの解像度および処理能力が向上している。
【０００５】
そして、携帯電話機器の電子メール機能も広く利用されており、上記の画像を添付した電子メールの送受信も一般的となっている。
【０００６】
従来の携帯電話機器では、例えば、使用者が特定キーを所定時間連続して押下すると、携帯電話機器の表示部には、その特定キーに対応するメールアドレスが電子メールの宛先の欄に転記された電子メール編集画面が表示される。そして、使用者は、例えば、この電子メール編集画面では、上記宛先、件名、本文等を入力することができる。その後、使用者が送信を指示するキーを押下すると、電子メールは送信される（例えば、特許文献１参照。）。
【０００７】
また、従来の携帯電話機器では、例えば、複数の機能を有しており、その複数の機能とテンキーとを対応させている。そして、携帯電話機器のキースイッチ群の中で、特に、上記テンキーを長押しすると、通常のキー対応処理とは異なるお好み機能呼出処理が実行され、予め、登録された任意の機能が呼び出される（例えば、特許文献２参照。）。
【０００８】
【特許文献１】
特開２００３−６０７４１号公報（第８−９頁、第４−６図）
【特許文献２】
特開２０００−２２７８７号公報（第５−６頁、第５−７図）
【０００９】
【発明が解決しようとする課題】
従来の携帯電話機器では、例えば、上述した特許文献１のように、操作キーの中の特定キーと電子メールアドレスとを対応させ、その特定キーを所定時間連続して押下すると、登録された電子メールアドレスが宛先の欄に転記された電子メール編集画面が表示される。そのため、上述の携帯電話機器では、使用者にとって、電子メールアドレスの入力間違いが多い点、また、電子メールアドレスが長く、入力が手間である点は解消される。
【００１０】
しかしながら、上述の携帯電話機器では、待ち受け状態から特定キーを押下することでメール編集画面を起動させるため、最近の携帯電話機器のように、実機のカメラモードを用いて撮影した画像データを確認後、所望の相手先に送る場合には、一度保存した後、再度、待ち受け状態から特定キーを押下し、メール編集画面を起動させる必要があった。そのため、使用者は、特定キーを用いた電子メールの送信を行う際には、撮影した画像データを確認後、直ぐに所望の相手先に送信することが出来ず、更に、余分な操作を強いられるという問題があった。
【００１１】
更に、上述の携帯電話機器では、使用者は、所望の相手先の電子メールアドレスが宛先の欄に転記された電子メール編集画面が表示された後に、例えば、件名、本文等に所望の文章を入力する。そのため、使用者は、上記件名、本文等の入力後に、送信先を変更する場合には、一度、現在のメール編集画面を終了した後、再度、待ち受け状態から同じ操作を繰り返し行わなければならず、使用者にとって手間となる問題があった。
【００１２】
また、使用者が、上記件名、本文等の入力後に、その他の相手先に送信することを望む場合には、個々の相手先に対し、それぞれ同じ操作を繰り返すか、あるいは、宛先の欄にその他の相手先の電子メールアドレスを手入力等により入力する必要があり、複数の相手先に対し、同じ電子メールを送信することが困難である問題があった。
【００１３】
本発明は、携帯電話機器の操作キーにそれぞれ送信先の電子メールアドレス番号を対応させて記憶させる電子メールアドレス記憶手段を有し、所望の画像データを確認後、または、所望の電子メール編集画面を入力後に、使用者が前記操作キーを押下することで、画像データ等を添付した電子メールをワンタッチ送信できることを可能とするものである。
【００１４】
【課題を解決するための手段】
本発明は、上述した各事情に鑑みて成されたものであり、本発明の携帯電話機器では、画像データを記憶する画像データ記憶手段と、電子メールアドレスを所望の操作キーに対応させて記憶させる電子メールアドレス記憶手段と、前記操作キーを所定時間以上連続して押下されるか否か、または、前記操作キーを所定時間以内に複数回押下されるか否かを判断する操作キー押下判断手段と、該操作キー押下判断手段に基づき前記画像データを押下された前記操作キーに対応する前記電子メールアドレス先に送信させる通信手段とを具備することを特徴とする。従って、本発明の携帯電話機器では、使用者は、所望の画像データを選択した後、該画像データを送信することを望む相手先の電子メールアドレスが記憶されている操作キーを押下することで、１タッチで、あるいは、所定時間以内に複数回押下することで、該画像データが添付された電子メールを送信することができる。
【００１５】
また、本発明の携帯電話機器では、前記画像データを表示する表示手段とを具備し、前記操作キー押下判断手段は、前記表示手段に前記操作キーへ対応する前記電子メールアドレス、または、前記操作キーへ対応する電話帳に登録されている名前を表示させることを特徴とする。従って、本発明の携帯電話機器では、使用者が画像データを確認後、所望の操作キーを押下すると、その押下した操作キーに対応して記憶されている送信先の電子メールアドレス、または、電話帳に登録されている名前を表示手段に表示することができる。
【００１６】
また、本発明の携帯電話機器では、前記表示手段に表示される前記電子メールアドレス、または、前記名前の表示時間を判断する表示時間判断手段とを具備し、該表示時間判断手段が前記表示手段に所定時間以上の前記電子メールアドレス、または、前記名前の表示を判断した後、前記通信手段は前記画像データを前記電子メールアドレス先に送信させることを特徴とする。従って、本発明の携帯電話機器では、使用者が所望の送信先の操作キーを押下し、表示された電子メールアドレス、または、前記名前を確認するが、使用者は表示された電子メールアドレスを確認後、前記所定時間内に電子メールの送信を中止することができる。
【００１７】
また、本発明の携帯電話機器では、前記電子メールアドレス記憶手段は、１つの前記操作キーに対し複数の電子メールアドレスを記憶させることを特徴とする。従って、本発明の携帯電話機器では、使用者が、自己の使用上の必要性に応じて、予め、１つの操作キーに対し、複数人の電子メールアドレスを登録することができ、その操作キーを押下することで一度に複数人に同じ電子メールを送信することができる。
【００１８】
また、本発明の携帯電話機器では、入射光を電気信号に変換して画像データとして出力する撮像手段とを具備し、該撮影手段を介して前記画像データを取得することを特徴とする。従って、本発明の携帯電話機器では、使用者が使用者の携帯電話機器の備えるカメラモードを利用して、所望の画像データを取得した後、その画像データを所望の相手先に送信することができる。
【００１９】
また、本発明の携帯電話機器では、少なくとも宛先入力欄、本文入力欄が予め設けられた電子メール編集手段と、電子メールアドレスを所望の操作キーに対応させて記憶させる電子メールアドレス記憶手段と、前記操作キーを所定時間以上連続して押下されるか否かを判断する操作キー押下判断手段と、前記電子メール編集手段の前記本文入力欄に所望の文書が入力された後、押下された前記操作キーに対応する前記電子メールアドレス先に前記文章を含む電子メールを送信させる通信手段とを具備することを特徴とする。従って、本発明の携帯電話機器では、使用者が、前記電子メール編集手段を介して所望の文章を入力した後、送信先の電子メールアドレスが記憶されている操作キーを押下することで、１タッチで電子メールを送信することができる。また、本発明の携帯電話機器では、使用者が受信した電子メールを確認後、その電子メールを所望の相手先に１タッチで転送することができる。
【００２０】
【発明の実施の形態】
以下に、本発明における一実施の形態について、図１〜図８を参照にして詳細に説明する。本発明は、任意の携帯機器に適用できるが、以下では、好適な実施の形態として、折り畳み可能なカメラ付携帯電話機１（以下、携帯電話機と呼ぶ。）について説明する。尚、以下では折り畳み可能な携帯電話機が示されているが、この形態に限定されるものではなく、例えば、ストレート式の携帯電話機の場合でも良い。また、カメラ機能が搭載されていない場合でも良い。
【００２１】
先ず、図１は本発明の一実施の形態である携帯電話機の（Ａ）開いた状態での内側（キー面）から見た概観図、（Ｂ）閉じた状態での外側（背面）から見た概観図であり、図２は同携帯電話機の電気的構成を説明する概略機能ブロック図である。
【００２２】
図１（Ａ）及び（Ｂ）に示す如く、例えば、スピーカ２は携帯電話機１の蓋部内側の上方中央に、マイク３は本体部内側の下方中央にそれぞれ配置されている。また、キー操作部１８は、撮影を行うためのシャッターキー１９、カメラモードを起動させるカメラキー１８１、電源投入するための電源キー１８２、メールモードを起動させるメールキー１８３、十字キー１８４、数字・文字キー等から構成されている。
【００２３】
そして、表示部１７は、スピーカ２が配置されている蓋部内側に四角形状で配置されており、第２表示部４は四角い形状で蓋部外側の中央付近に配置されいる。更に、撮像部１２は、蓋部外側のヒンジ近くの中央付近に配置され、閉じた状態でも第２表示部４で被写体を確認しながら撮影ができる。また、背面キー５は第２表示部４の下方に配され、閉じた状態でシャッタキーとして使用され、使用者が自らを撮影するのに適している。一方、開いた状態で撮影する場合は、表示部１７あるいは第２表示部４で被写体を確認しながら、キー操作部１８のシャッタキー１９を押下することで撮影することができる。
【００２４】
図２に示す如く、本実施の形態の携帯電話機１は、主に、制御部１１、撮像部１２、画像処理部１３、第１メモリ１４、第２メモリ１５、表示ドライバ部１６、表示部１７、キー操作部１８、シャッターキー１９、バックライト２０、画像圧縮処理部２１、画像伸張処理部２２、アンテナ２３、無線部２４、通信制御部２５、画像切り換え制御部２６を備えている。
【００２５】
制御部１１は、携帯電話機１を構成する各部位の動作を制御し、例えば、画像処理部１３、第１メモリ１４、第２メモリ１５、表示ドライバ部１６、バックライト２０、画像圧縮処理部２１、画像伸張処理部２２、通信制御部２５、画像切換え制御部２６等を制御する。撮像部１２は、撮像レンズと、ＣＣＤ（Ｃｈａｒｇｅ  Ｃｏｕｐｌｅｄ  Ｄｅｖｉｃｅ）イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮像素子と、ＲＧＢの３色のカラーフィルタとを備える。撮像部１２は、被写体で反射されて撮像レンズに入射した光を、カラーフィルタを通してＲＧＢの３色光にし、ＲＧＢの３色光をそれぞれ前記撮像素子によって電気信号に変換する。
【００２６】
画像処理部１３は、増幅部、Ａ／Ｄ（アナログ／デジタル）変換部、信号処理部からなる。増幅部は、撮像部１２から送られてくるＲＧＢに対応した電気信号を増幅し、Ａ／Ｄ変換部に送る。Ａ／Ｄ変換部は、増幅部で増幅されたＲＧＢに対応した電気信号（アナログ）をデジタル信号に変換して画像データを出力し、信号処理部に送る。信号処理部は、Ａ／Ｄ変換部から送られてくる画像データに対して、画素の補間処理などの信号処理を行う。また信号処理部は、制御部１１から送られてくる制御信号に基づいて、信号処理を施した画像データを第１メモリ１４に送る。
【００２７】
第１メモリ１４は、信号処理部から送られてくる画像データを一時的に記憶している。このとき、画像データは、画像切換え制御部２６を介して、直接、第１メモリ１４へと送られる。そして、例えば、時間的に古い画像データは消去する、あるいは最も新しい画像データを上書きすることで一時的に画像データを記憶する。
【００２８】
制御部１１は、表示ドライバ部１６に制御信号を送信するとともに、第１メモリ１４に記憶された画像データを、表示ドライバ部１６に送る。
【００２９】
表示ドライバ部１６は、表示部１７に表示しようとする画像データに従って、表示部１７の各画素電極に対して駆動電圧を印加する。表示部１７は、液晶ディスプレイおよびＥＬ（Ｅｌｅｃｔｒｏ  Ｌｕｍｉｎｅｓｃｅｎｓｅ）ディスプレイなどで実現され、表示ドライバ部１６を介して送られてくる画像データに基づく画像を表示する。
【００３０】
バックライト２０は、発光素子である発光ダイオードなどから構成され、表示部１７を背面より照明する。バックライト２０の点灯、消灯の制御および輝度調整などの制御は、制御部１１によって行われる。尚、バックライト２０は、使用者によって消灯するための所定の操作が行われるまで点灯する構成としてもよいし、点灯してから所定時間が経過すると消灯する構成としてもよい。
【００３１】
キー操作部１８は、上述したように、数字および文字を入力するためのキーなどから構成される。
【００３２】
シャッターキー１９は、カメラ撮影時において、使用者が所望の画像を撮影したい時に押下される。そして、制御部１１は、シャッターキー１９からの指示信号に応答して、第１メモリ１４に記憶されている画像データを一時的に保存させる。その後、制御部１１は、使用者の指示に基づき、一時的に保存する画像データを画像圧縮部に送り、画像圧縮処理部２１で圧縮処理させ、第２メモリ１５に保存させる。更に、第２メモリ１５は、予め、設定されている画像データ、音楽データを保存しており、また、アンテナ２３等を介して受信した各種受信データ、例えば、画像データ、音楽データ、文字データ等及び電話帳検索モードにおける電話番号、氏名等の情報データを保存する。
【００３３】
画像圧縮処理部２１は、制御部１１の指示に基づき、通信制御部２５から送られたそれぞれの画像データを所定の圧縮方式で圧縮処理をし、その圧縮処理をした画像データを第２メモリ１５へと送る。また、制御部１１の指示に基づき、第１メモリ１４内に一時的に保存されている画像データを所定の圧縮方式で圧縮処理をし、その圧縮処理をした画像データを第２メモリ１５へと送る。一方、画像伸張処理部２２は、第２メモリ１５内に圧縮し、保存されている画像データを読み込み、伸張処理をする。そして、画像伸張処理部２２は、その伸張処理をした画像データを表示ドライバ部１６へと送る。
【００３４】
アンテナ２３は、無線電波を介して基地局と無線通信を行うときに、音声データ、文字データおよび画像データなどを送受信する。無線部２４は、所定の通信プロトコルに基づいて、受信時は、基地局からアンテナ２３を介して受信したデータを復調し、送信時は、通信制御部２５から送られてくる文字データおよび画像データなどを変調して増幅し、アンテナ２３を介して基地局に送信する。通信制御部２５は、受信データの中で無線部２４が復調した画像データを、画像切換制御部２６を介して画像圧縮部２１に送る。そして、画像圧縮部２１では、無線部２４、通信制御部２５、画像切換制御部２６を介して受信した相手先からの画像データを、圧縮処理をし、第２メモリ１５に記憶させる。また、通信制御部２５は、受信データの中で文字データ等を制御部１１の指示に基づき、第２メモリ１５へと送る。
【００３５】
画像切換え制御部２６は、画像データの取得時に、画像処理部１３及び通信制御部２５のどちらの経路から画像データが送られるかを切り換える。
【００３６】
また、本実施の形態における制御部１１内の操作キー押下判断手段は、使用者により押下されたキー操作部１８が、例えば、第２メモリ１５において、電子メールアドレスが対応付けられて記憶されている数字キー（以下、１０キーと呼ぶ。）であるか、否かを判断する。且つ、操作キー押下判断手段は、使用者により押下された１０キーが、予め設定されたある所定時間以上、連続して押下されたか、否か、または、１０キーが、所定時間以内に複数回押下されたか、否かを判断する。そして、操作キー押下判断手段は、１０キーが所定時間以上、連続して押下された、または、１０キーが、所定時間以内に複数回押下されたと判断した場合には、表示ドライバ部１６等を制御し、その１０キーに対応付けられている電子メールアドレス、または、電話帳に登録された名前を表示部１７に表示させる。尚、操作キー押下判断手段では、使用者の１０キーを押下する時間が所定時間以上あるか、否かの判断は、キー操作部１８を構成するキー操作検出部から入力される、例えば、２０ｍｓｅｃ毎の入力信号の発生数をカウントすることで行われる。
【００３７】
制御部１１内の表示時間判断手段は、制御部１１内の操作キー押下判断手段により表示部１７に表示された電子メールアドレス、または、電話帳に登録された名前の表示時間が、予め設定されたある所定時間以上、連続して表示されたか、否かを判断する。そして、操作キー押下判断手段は、電子メールアドレス、または、登録名前が所定時間以上、連続して表示部１７に表示されたと判断した場合には、第１メモリ１４内に保存されている画像データを画像圧縮処理部で圧縮処理をし、第２メモリ１５に保存させる。そして、制御部１１内の表示時間判断手段は、通信制御部２５等を制御し、その圧縮処理された画像データを添付し、所定のフォーマットを成す電子メールを、表示部１７に表示された電子メールアドレス先に送信させる。尚、表示時間判断手段では、表示部１７に電子メールアドレスが表示されている間に、例えば、表示部１７に同時に表示される停止アイコン３６（図５（Ｃ）参照）に対応するキー操作部１８が押下されるか、否かを判断することにより、電子メールを送信するか、否かの判断を行う。
【００３８】
尚、図１（Ｂ）では第２表示部４を示しているが、図２では第２表示部４及びそれに伴う表示ドライバ部及びバックライトは省略している。
【００３９】
次に、図３は本発明の携帯電話機のカメラモードを用いて取得した画像データを所望の相手先に送信する際の動作を説明するためのフローチャートであり、図４は同携帯電話機において、予め保存されている画像データを選択し、所望の相手先に送信する際の動作を説明するためのフローチャートであり、図５は同携帯電話機において、１０キーに対応して記憶されている電子メールアドレスを表示部に表示することを説明するための図であり、図６は同携帯電話機において、メモリに記憶される１０キーと電子メールアドレスとの対応表を説明するための図である。
【００４０】
本実施の形態では、図３に示す如く、使用者がキー操作部１８に設けられたカメラモードを起動させるカメラキー１８１を操作しカメラモードを起動させることを指示すると、制御部１１がカメラモードの起動を認識し、カメラモードを起動させる。具体的には、制御部１１はカメラモードのアプリケーションを起動させると同時に撮像部１２及び画像処理部１３に電源を供給する（ステップＳ１）。
【００４１】
次に、制御部１１は画像処理部１３に制御部１１内に記憶されている画像処理データである画像の撮影サイズ及び画像画質データを渡すことにより、撮像の状態が設定される（ステップＳ２）。
【００４２】
次に、使用者が撮像部１２内の、例えば、ＣＣＤイメージセンサの撮像素子等を駆動して被写体を映すことで、撮像部１２からその被写体の画像データが取り込まれ、第１メモリ１４に入力される。そして、制御部１１が第１メモリ１４、表示ドライバ部１６を制御し、表示部１７に使用者が映した画像を表示させる。一方、使用者が表示部１７に表示された画像を確認し、その被写体を撮影するか否かの判断をする。そして、使用者が画像を撮影する場合には使用者はシャッターキー１９を押下する（ステップＳ３のＹＥＳ）。制御部１１は、画像処理部１３を制御し、第１メモリ１４に送っている画像データをストップすると共に、第１メモリ１４は最後に送られてきた画像データを保存する。つまり、表示部１７において、変動していた画像が使用者がシャッターキー１９を押下することにより静止する。尚、使用者が、シャッターキー１９を押下しない場合には、表示部１７に使用者が映した画像が表示させた状態のままである（ステップＳ３のＮＯ）。
【００４３】
次に、使用者は表示部１７に表示された画像を確認し、この画像を添付した電子メールを所望の相手先に送信することを望む場合には、使用者は、所望の送信先の電子メールアドレスが対応付けて記憶されている１０キーを押下する（ステップＳ４のＹＥＳ）。そして、使用者が、１０キーを押下し続け（ステップＳ５のＹＥＳ）、更に、予め、設定された所定時間以上連続して押下すると（ステップＳ６のＹＥＳ）、制御部１１の操作キー押下判断手段は、第２メモリ１５を制御し、使用者により押下された１０キーに第２メモリ１５内に記憶されている電子メールアドレスが対応して記憶されているか、否かの判断をする。制御部１１の操作キー押下判断手段が、使用者が押下したキーが電子メールアドレスとが対応して記憶されている１０キーであると判断すると、制御部１１は、表示ドライバ部１６を制御し表示部１７に送信先の電子メールアドレス、または、登録名前を表示させる（ステップＳ７）。尚、ステップＳ５において、使用者が、１０キーを押下し続けない場合には（ステップＳ５のＮＯ）、ステップＳ４へと戻る。また、ステップＳ６において、使用者が、１０キーを、予め、設定された所定時間以上連続して押下しない場合には、ステップＳ５へと戻る。
【００４４】
次に、使用者は、表示部１７に表示された電子メールアドレス、または、登録名前を確認し、表示部１７に画像データと伴に表示される停止アイコン３６（図５（Ｃ）参照）に対応するキー操作部１８を押下する（ステップＳ８のＹＥＳ）。制御部１１は、第１メモリ１４、表示ドライバ部１６を制御し、表示部１７にシャッターキー押下後の画面を、再び、表示させる（ステップＳ４）。
【００４５】
一方、使用者は、表示部１７に表示された電子メールアドレス、または、登録名前を確認し、表示部１７に画像データと伴に表示される停止アイコン３６（図５（Ｃ）参照）に対応するキー操作部１８を押下せず（ステップＳ８のＮＯ）、更に、使用者が、表示部１７に画像データと伴に表示される送信アイコン３５（図５（Ｃ）参照）に対応するキー操作部１８を押下する（ステップＳ９のＹＥＳ）。制御部１１は、第１メモリ１４、第２メモリ１５、画像圧縮処理部２１及び通信制御部２５を制御し、先ず、第１メモリ１４の画像データを圧縮処理し、第２メモリ１５へと保存させる（ステップＳ１１）。そして、制御部１１は、表示部１７に表示された電子メールアドレス先に、圧縮処理された画像データを添付した電子メールを送信させる（ステップＳ１２）。
【００４６】
また、使用者が、表示部１７に画像データと伴に表示される送信アイコン３５（図５（Ｃ）参照）に対応するキー操作部１８を押下しない場合には（ステップＳ９のＮＯ）、制御部１１の表示時間判断手段が、表示部１７に表示された電子メールアドレス、または、登録名前が表示された後、予め、設定された所定時間の間にキー操作部１８の押下があったか、否かを判断する。そして、制御部１１の表示時間判断手段が、予め、設定された所定時間の間にキー操作部１８の押下がないと判断する（ステップＳ１０のＹＥＳ）。制御部１１は、第１メモリ１４、第２メモリ１５、画像圧縮処理部２１及び通信制御部２５を制御し、先ず、第１メモリ１４の画像データを圧縮処理し、第２メモリ１５へと保存させる（ステップＳ１０）。そして、制御部１１は、表示部１７に表示された電子メールアドレス先に、圧縮処理された画像データを添付した電子メールを送信させる（ステップＳ１２）。
【００４７】
一方、制御部１１の表示時間判断手段が、予め、設定された所定時間の間にキー操作部１８の押下がされたと判断する（ステップＳ１０のＮＯ）。制御部１１は、第１メモリ１４、第２メモリ１５、表示ドライバ部１６を制御し、表示部１７に、画像データと伴に、送信先の電子メールアドレス、または、登録名前を表示させたままである（ステップＳ８）。
【００４８】
ここで、ステップＳ４において、使用者が１０キーを押下しない場合には（ステップＳ４のＮＯ）、画像データが表示部１７に表示された状態のままである。そして、使用者が、表示部１７に表示された画像を確認し、表示部１７に画像データと伴に表示される保存アイコン３１（図５（Ａ）参照）に対応するキー操作部１８を押下する（ステップＳ１３のＹＥＳ）。制御部１１は、第１メモリ１４、第２メモリ１５、画像圧縮処理部２１を制御し、第１メモリ１４内の画像データを画像圧縮処理部２１へ送る。そして、画像圧縮処理部２１において、画像データは所定の圧縮形式により圧縮処理をされた後、第２メモリ１５へと送られ、保存される（ステップＳ１５）。その後、ステップＳ３へと戻り、使用者は、再び、表示部１７に表示される画像を確認し、その被写体を撮影するか否かの判断をする。
【００４９】
次に、使用者が、表示部１７に表示された画像を確認し、表示部１７に画像データと伴に表示される終了アイコン３２（図５（Ａ）参照）に対応するキー操作部１８を押下すると（ステップＳ１４のＹＥＳ）、制御部１１は、携帯電話機１のカメラモードを終了させる。一方、使用者が、終了アイコン３２に対応するキー操作部１８を押下しない場合には（ステップＳ１４のＮＯ）、表示部１７に撮影した画像が表示された状態のままである（ステップＳ４）。
【００５０】
尚、本実施の形態では、使用者が、キー操作部を押下する際に、そのキー操作部を所定時間以上の間、連続して押下するか、否かにより、押下したキー操作部を通常の設定で用いるか、あるいは、１０キーとして用いるかの判断をしていたが、この場合に限定する必要はない。例えば、使用者が、キー操作部を押下する際に、所定時間内にダブルクリック等、複数回押下するかにより、上述の場合と同様な動作を導いても良い。
【００５１】
また、図４に示す如く、本実施の形態では、携帯電話機１に、予め、保存されている画像データファイルから、使用者が所望の画像データを選択し、その画像データを電子メールに添付して送信することができる。
【００５２】
使用者が、携帯電話機１の画像データ選択モードを用いて所望の画像を選択し、表示部に表示させる場合には、使用者はキー操作部１８を操作し画像選択モードの起動を指示すると（ステップＳ２１）、制御部１１は表示ドライバ部１６を制御し、表示部１７にサムネイル画像の一覧表示画面を表示させる（ステップＳ２２）。そして、使用者が表示画面に従い、キー操作部１８の、例えば、十字キー１８４を操作し、画面上で所望のサムネイル画像を選択し、決定キーを押下すると、制御部１１は表示ドライバ部１６を制御し、表示部１７に選択されたサムネイル画像を等倍で表示させる（ステップＳ２３）。尚、本実施の形態では、この場合には、第２メモリ１５内に格納されているサムネイル画像が、画像伸張処理部２２で伸張処理され、表示部１７に表示される。
【００５３】
次に、使用者は、表示部１７に表示された画像を確認し、この画像を添付した電子メールを所望の相手先に送信することを望む場合には、使用者は、所望の送信先の電子メールアドレスが対応して記憶されている１０キーを押下する（ステップＳ２４のＹＥＳ）。そして、使用者が、１０キーを押下し続け（ステップＳ２５のＹＥＳ）、更に、予め、設定された所定時間以上連続して押下すると（ステップＳ２６のＹＥＳ）、制御部１１の操作キー押下判断手段は、第２メモリ１５を制御し、使用者により押下されたキーに第２メモリ１５内に記憶されている電子メールアドレスが対応して記憶されているか、否かの判断をする。制御部１１の操作キー押下判断手段が、使用者が押下したキーと電子メールアドレスとが対応して記憶されている１０キーであると判断すると、制御部１１は、表示ドライバ部１６を制御し表示部１７に送信先の電子メールアドレス、または、登録名前を表示させる（ステップＳ２７）。尚、ステップＳ２５において、使用者が、１０キーを押下し続けない場合には（ステップＳ２５のＮＯ）、ステップＳ２４へと戻る。また、ステップＳ２６において、使用者が、１０キーを、予め、設定された所定時間以上連続して押下しない場合には、ステップＳ２５へと戻る。
【００５４】
次に、使用者は、表示部１７に表示された電子メールアドレス、または、登録名前を確認し、表示部１７に画像データと伴に表示される停止アイコン３６（図５（Ｃ）参照）に対応するキー操作部１８を押下する（ステップＳ２８のＹＥＳ）。制御部１１は、第２メモリ１５、表示ドライバ部１６を制御し、表示部１７に選択されたサムネイル画像を等倍で表示させる（ステップＳ２４）。
【００５５】
一方、使用者は、表示部１７に表示された電子メールアドレス、または、登録名前を確認し、表示部１７に画像データと伴に表示される停止アイコン３６（図５（Ｃ）参照）に対応するキー操作部１８を押下せず（ステップＳ２８のＮＯ）、更に、使用者が、表示部１７に画像データと伴に表示される送信アイコン３５（図５（Ｃ）参照）に対応するキー操作部１８を押下する（ステップＳ２９のＹＥＳ）。制御部１１は、第２メモリ１５及び通信制御部２５を制御し、表示部１７に表示された電子メールアドレス先に、圧縮処理された画像データを添付した電子メールを送信させる（ステップＳ３１）。
【００５６】
また、使用者が、表示部１７に画像データと伴に表示される送信アイコン３５（図５（Ｃ）参照）に対応するキー操作部１８を押下しない場合には（ステップＳ２９のＮＯ）、制御部１１の表示時間判断手段が、表示部１７に表示された電子メールアドレス、または、登録名前が表示された後、予め、設定された所定時間の間にキー操作部１８の押下があったか、否かを判定する（ステップＳ３０）。そして、制御部１１の表示時間判断手段が、予め、設定された所定時間の間にキー操作部１８の押下がないと判断する（ステップＳ３０のＹＥＳ）。制御部１１は、第２メモリ１５及び通信制御部２５を制御し、表示部１７に表示された電子メールアドレス先に、圧縮処理された画像データを添付した電子メールを送信させる（ステップＳ３１）。
【００５７】
一方、制御部１１の表示時間判断手段が、予め、設定された所定時間の間にキー操作部１８の押下がされたと判断する（ステップＳ３０のＮＯ）。制御部１１は、第２メモリ１５、表示ドライバ部１６を制御し、表示部１７に、画像データと伴に、送信先の電子メールアドレス、または、登録名前を表示させたままである（ステップＳ２８）。
【００５８】
ここで、ステップＳ２４において、使用者が１０キーを押下しない場合には（ステップＳ２４のＮＯ）、画像データが表示部１７に表示された状態のままである。そして、使用者が、表示部１７に表示された画像を確認し、表示部１７に画像データと伴に表示される戻るアイコン３３（図５（Ｂ）参照）に対応するキー操作部１８を押下する（ステップＳ３２のＹＥＳ）。制御部１１は、第２メモリ１５及び表示ドライバ部２１等を制御し、表示部１７に、再び、サムネイル画像の一覧表示画面を表示させる（ステップＳ２２）。
【００５９】
次に、使用者が、表示部１７に表示された画像を確認し、表示部１７に画像データと伴に表示される終了アイコン３２（図５（Ｂ）参照）に対応するキー操作部１８を押下すると（ステップＳ３３のＹＥＳ）、制御部１１は、携帯電話機１の画像選択モードを終了させる。一方、使用者が、終了アイコン３２に対応するキー操作部１８を押下しない場合には（ステップＳ３３のＮＯ）、表示部１７に選択されたサムネイル画像を等倍で表示させたままでる（ステップＳ２４）。
【００６０】
尚、図４では、画像データ選択モードを用いた場合について説明したが、この場合に限定する必要はなく、例えば、音楽選択モードを用いた場合についても同様な効果を得ることができる。また、本実施の形態では、使用者が、キー操作部を押下する際に、そのキー操作部を所定時間以上の間、連続して押下するか、否かにより、押下したキー操作部を通常の設定で用いるか、あるいは、１０キーとして用いるかの判断をしていたが、この場合に限定する必要はない。例えば、使用者が、キー操作部を押下する際に、所定時間内にダブルクリック等、複数回押下するかにより、上述の場合と同様な動作を導いても良い。
【００６１】
次に、図５を用いて、具体的に、携帯電話機１の表示部１７に表示された送信先の電子メールアドレスについて説明する。
【００６２】
図５（Ａ）では、図３のステップＳ３におけるシャッターキー押下した後の画像データを表示する表示部１７を示している。本実施の形態では、例えば、携帯電話機１の表示部１７のほぼ全面に、携帯電話機１のカメラモードを用いて撮影した画像が表示される。そして、表示部１７の画像の下方には、例えば、表示部１７に表示されている画像データを保存するための保存アイコン３１及び携帯電話機１のカメラモードを終了するための終了アイコン３２が表示される。両アイコン３１、３２は、図１（Ａ）に示すキー操作部１８に対応しており、例えば、保存アイコン３１とメールキー１８３とが対応しており、終了アイコン３２とカメラキー１８１とが対応している。そして、使用者が、表示部１７に表示された画像を確認し、キー操作部１８を操作することで、携帯電話機１では、上述したそれぞれの動作が行われる。
【００６３】
また、図５（Ｂ）では、図４のステップＳ２３における選択された画像データを表示する表示部１７を示している。本実施の形態では、図５（Ａ）の場合と同様に、例えば、携帯電話機１の表示部１７のほぼ全面に、選択された画像が表示される。そして、表示部１７の画像の下方には、例えば、サムネイル画像の一覧表示画面に戻るための戻るアイコン３３及び携帯電話機１の画像データ選択モードを終了するための終了アイコン３２が表示される。両アイコン３２、３３は、図１（Ａ）に示すキー操作部１８に対応しており、例えば、戻るアイコン３３とメールキー１８３とが対応しており、終了アイコン３２とカメラキー１８１とが対応している。そして、使用者が、表示部１７に表示された画像を確認し、キー操作部１８を操作することで、携帯電話機１では、上述したそれぞれの動作が行われる。
【００６４】
図５（Ｃ）では、図３のステップＳ７及び図４のステップＳ２７における１０キーに対応して記憶されている電子メールアドレスを表示する表示部１７を示している。本実施の形態では、図５（Ａ）及び図５（Ｂ）に示す如く、使用者は、表示部１７に表示された画像を確認した後、電子メールアドレスが対応して記憶されている１０キーを所定時間以上の間、連続して押下することで、所望の相手先にその画像データを添付した電子メールを送信する。そして、図示の如く、本実施の形態では、電子メールを送信する前に、例えば、表示部１７に表示された画像の下方には、１０キーに対応して記憶されている電子メールアドレス３４、電子メールを送信させる送信アイコン３５及び電子メールの送信を中止する停止アイコン３６が表示される。
【００６５】
図５（Ｄ）では、図５（Ｃ）と同様に、図３のステップＳ７及び図４のステップＳ２７における１０キーに対応して記憶されている電子メールアドレスを表示する表示部１７を示している。図示の如く、本実施の形態では、表示部１７に画像を表示する替わりに、例えば、携帯電話機１の電話帳に登録されている名前と送信先の電子メールアドレスとを同時に表示することもできる。そして、表示部１７には、電子メールアドレス３４の下方に、電子メールを送信させる送信アイコン３５及び電子メールの送信を中止する停止アイコン３６が表示される。
【００６６】
そのことで、使用者が、所望の送信先が記憶されている以外の１０キーを押下した場合でも、使用者は、表示部１７に表示される電子メールアドレス３４、または、登録名前により、その送信先を確認することができる。そして、使用者が、その画像が添付された電子メールの送信を中止することを望む場合には、停止アイコン３６に対応するキー操作部１８、例えば、カメラキー１８１（図１（Ａ）参照）を押下することで、表示部１７に表示される電子メールアドレス３４への電子メールの送信を中止することができる。一方、使用者が、所望の送信先が記憶されている１０キーを押下した場合には、使用者は、表示部１７に表示される電子メールアドレス３４を確認し、何ら操作を行わなくて良い。そうすると、表示部１７に表示された画像データを添付した電子メールは、所定時間経過後に、表示部１７に表示される電子メールアドレス３４先に送信される。また、本実施の形態では、使用者が、表示部１７により送信先を確認し、送信アイコン３５に対応するキー操作部１８、例えば、メールキー１８３（図１（Ａ）参照）を押下することで、表示部１７に表示された画像データを添付した電子メールを送信することも可能である。
【００６７】
つまり、本実施の形態では、使用者が送信する画像を決定し、電子メールアドレスが対応して記憶されている１０キーを押下した後、直ちに、その電子メールアドレス先に電子メールは送信されない。そして、使用者は、表示部１７に表示された送信先の電子メールアドレス等を確認し、電子メールの送信の適否を判断できることに特徴を有する。その結果、使用者は、送信先の電子メールアドレスが記憶されている１０キーと異なった１０キーを押下したとしても、その電子メールの送信を中止出来るので、誤送信を無くすことができる。
【００６８】
また、本実施の形態では、電子メール編集画面における宛先に所望の相手先の電子メールアドレスを使用者が入力することなく、電子メールを送信することができる。そのことで、通常、電子メールアドレスは、英数文字が混在して成り、そのアドレスが長い場合が大多数であるが、使用者は、その入力を行う必要がなく、誤送信メールを低減でき、または、その入力の手間を省くことができる。
【００６９】
次に、図６では、本実施の形態の一例として、キー操作部１８と送信先の電子メールアドレスとの対応関係を示しており、例えば、キー操作部１８の数字キー１〜６に電子メールアドレスを対応付けて記憶させている。キー操作部１８の数字キー１には、“ｙａｍａｇｕｃｈｉ＠ａｂｃ．ｃｏｍ”の電子メールアドレスが対応付けて記憶されている。そして、本実施の形態では、例えば、キー操作部１８の数字キー５には、“ｙａｍａｇｕｃｈｉ＠ａｂｃ．ｃｏｍ、ｏｏｙａｇｉ＠ａｂｃ．ｃｏｍ”と２人の電子メールアドレスが対応付けて記憶されている。
【００７０】
つまり、本実施の形態では、使用者の電子メールを送信する実情に合わせて、１つの１０キーに複数人の電子メールアドレスを登録することができる。例えば、会社関係の緊急連絡網、サークル関係、友人関係、親類関係のように、一度に複数人に同じ電子メールを送信する可能性がある場合には、予め、その組み合わせによる電子メールアドレスを登録することができる。そのことで、使用者は、１回の電子メールを送信する作業で、複数人に対して電子メールを送信することができるので、電子メール送信作業の簡略化を実現できる。尚、本実施の形態において、使用者が、１０キーと登録されている電子メールアドレスとを閲覧、確認する場合等には、１０キーと電子メールアドレスの登録者の名前とが表示されても良い。
【００７１】
次に、図７は本発明の携帯電話機のメールモードを用いて所望の相手先に電子メールを送信する際の動作を説明するためのフローチャートであり、図８は同携帯電話機において、１０キーに対応して記憶されている電子メールアドレスを表示部に表示することを説明するための図である。
【００７２】
本実施の形態では、図７に示す如く、使用者がキー操作部１８に設けられたメールモードを起動させるメールキー１８３を操作しメールモードを起動させることを指示すると、制御部１１がメールモードの起動を認識し、メールモードを起動させる（ステップＳ４１）。
【００７３】
次に、制御部１１は、表示ドライバ部１６を制御し、表示部１７にメール編集画面を表示させる（ステップＳ４２）。本実施の形態では、例えば、メール編集画面には、送信先の電子メールアドレスを入力する宛先欄、送信する電子メールのタイトルを入力する題名欄、送信先に伝える文章を入力する本文欄、電子メールに添付する画像データ、音楽データ等を選択できる添付欄が表示されている。
【００７４】
次に、使用者が、表示部１７に表示されたメール編集画面を確認し、題名欄の選択キーを押下すると（ステップＳ４３のＹＥＳ）、制御部１１は、表示ドライバ部１６を制御し、表示部１７に題名欄の入力画面を表示させる。そして、使用者が、表示部１７に従い、電子メールのタイトルを入力し（ステップＳ４４）、決定キーを押下すると、再び、表示部１７にはメール編集画面が表示される。尚、このメール編集画面では、その題名欄には、使用者が入力したタイトルまたはそのタイトルの一部が表示されている。一方、使用者が、表示部１７に表示されたメール編集画面を確認し、題名欄の選択キーを押下しない場合には（ステップＳ４３のＮＯ）、メール編集画面の題名欄は、空欄のままである。
【００７５】
次に、使用者が、表示部１７に表示されたメール編集画面を確認し、本文欄の選択キーを押下すると（ステップＳ４５のＹＥＳ）、制御部１１は、表示ドライバ部１６を制御し、表示部１７に本文欄の入力画面を表示させる。そして、使用者が、表示部１７に従い、伝達する文章を入力し（ステップＳ４６）、決定キーを押下すると、再び、表示部１７にはメール編集画面が表示される。尚、このメール編集画面では、その本文欄には、使用者が入力した文章の一部が表示されている。一方、使用者が、表示部１７に表示されたメール編集画面を確認し、本文欄の選択キーを押下しない場合には（ステップＳ４５のＮＯ）、メール編集画面の本文欄は、空欄のままである。
【００７６】
次に、使用者が、表示部１７に表示されたメール編集画面を確認し、添付欄の選択キーを押下すると（ステップＳ４７のＹＥＳ）、制御部１１は、第２メモリ１５、表示ドライバ部１６を制御し、表示部１７に添付欄の選択画面を表示させる。そして、使用者が、表示部１７に従い、添付する画像データまたは音楽データ等を選択し（ステップＳ４８）、決定キーを押下すると、再び、表示部１７にはメール編集画面が表示される。尚、このメール編集画面では、その添付欄には、使用者が選択した画像データまたは音楽データのアドレスが表示されている。一方、使用者が、表示部１７に表示されたメール編集画面を確認し、添付欄の選択キーを押下しない場合には（ステップＳ４７のＮＯ）、メール編集画面の添付欄には、例えば、添付なし表示がされる。
【００７７】
次に、使用者は表示部１７に表示されたメール編集画面を確認し、この電子メールを所望の相手先に送信することを望む場合には、使用者は、所望の送信先の電子メールアドレスが対応して記憶されている１０キーを押下する（ステップＳ４９のＹＥＳ）。制御部１１は、メール編集画面の題名欄、本文欄または添付欄の中で少なくとも１つの欄が入力済みであるか、否かを判断する。そして、制御部１１が、メール編集画面の題名欄、本文欄または添付欄のいずれの欄にも入力されていないと判断した場合には（ステップＳ５０のＮＯ）、制御部１１は、表示部１７に、表示部１７に、「メールの内容が空です。」というアラート表示した後（ステップＳ５１）、再び、メール編集画面を表示させる（ステップＳ４３）。
【００７８】
一方、制御部１１が、メール編集画面の題名欄、本文欄または添付欄の中で少なくとも１つの欄が入力済みであると判断する（ステップＳ５０のＹＥＳ）。使用者が、１０キーを押下し続け（ステップ５２のＹＥＳ）、予め、設定された所定時間以上連続して押下すると（ステップＳ５３のＹＥＳ）、制御部１１の操作キー押下判断手段は、第２メモリ１５を制御し、使用者により押下されたキーに第２メモリ１５内に記憶されている電子メールアドレスが対応して記憶されているか、否かの判断をする。制御部１１の操作キー押下判断手段が、使用者が押下したキーと電子メールアドレスとが対応して記憶されている１０キーであると判断すると、制御部１１は、表示ドライバ部１６を制御し表示部１７に送信先の電子メールアドレス、または、登録名前を表示させる（ステップＳ５４）。尚、ステップＳ５２において、使用者が、１０キーを押下し続けない場合には（ステップＳ５２のＮＯ）、ステップＳ４２へと戻る。また、ステップＳ５３において、使用者が、１０キーを、予め、設定された所定時間以上連続して押下しない場合には、ステップＳ５２へと戻る。
【００７９】
次に、使用者は、表示部１７に表示された電子メールアドレス、または、登録名前を確認し、表示部１７に画像データと伴に表示される停止アイコン４５（図８（Ｂ）参照）に対応するキー操作部１８を押下する（ステップＳ５５のＹＥＳ）。制御部１１は、表示部１７に、再び、メール編集画面を表示させる（ステップＳ４３）。
【００８０】
一方、使用者は、表示部１７に表示された電子メールアドレス、または、登録名前を確認し、表示部１７に画像データと伴に表示される停止アイコン４５（図８（Ｂ）参照）に対応するキー操作部１８を押下せず（ステップＳ５５のＮＯ）、更に、使用者が、表示部１７に画像データと伴に表示される送信アイコン４４（図８（Ｂ）参照）に対応するキー操作部１８を押下する（ステップＳ５６のＹＥＳ）。制御部１１は、第１メモリ１４、第２メモリ１５及び通信制御部２５を制御し、送信する電子メールのデータを第２メモリ１５に保存させる。そして、制御部１１は、表示部１７に表示された電子メールアドレス先に、電子メールを送信させる（ステップＳ５８）。そして、制御部１１は、携帯電話機１のメールモードを終了させる（ステップＳ５９）。
【００８１】
また、使用者が、表示部１７に画像データと伴に表示される送信アイコン４４（図８（Ｂ）参照）に対応するキー操作部１８を押下しない場合には（ステップＳ５６のＮＯ）、制御部１１の表示時間判断手段が、表示部１７に表示された電子メールアドレス、または、登録名前が表示された後、予め、設定された所定時間の間にキー操作部１８の押下があったか、否かを判定する。そして、制御部１１の表示時間判断手段が、予め、設定された所定時間の間にキー操作部１８の押下がないと判断する（ステップＳ５７のＹＥＳ）。制御部１１は、第１メモリ１４、第２メモリ１５及び通信制御部２５を制御し、送信する電子メールのデータを第２メモリ１５に保存させる。そして、制御部１１は、表示部１７に表示された電子メールアドレス先に、電子メールを送信させる（ステップＳ５８）。そして、制御部１１は、携帯電話機１のメールモードを終了させる（ステップＳ５９）。
【００８２】
一方、制御部１１の表示時間判断手段が、予め、設定された所定時間の間にキー操作部１８の押下がされたと判断する（ステップＳ５７のＮＯ）。制御部１１は、第２メモリ１５、表示ドライバ部１６を制御し、表示部１７のメール編集画面に、送信先の電子メールアドレス、または、登録名前を表示させたままである（ステップＳ５５）。
【００８３】
尚、本実施の形態では、使用者が、キー操作部を押下する際に、そのキー操作部を所定時間以上の間、連続して押下するか、否かにより、押下したキー操作部を通常の設定で用いるか、あるいは、１０キーとして用いるかの判断をしていたが、この場合に限定する必要はない。例えば、使用者が、キー操作部を押下する際に、所定時間内にダブルクリック等、複数回押下するかにより、上述の場合と同様な動作を導いても良い。
【００８４】
次に、図８を用いて、具体的に、携帯電話機１の表示部１７に表示された送信先の電子メールアドレスについて説明する。
【００８５】
図８（Ａ）では、図７のステップＳ４２におけるメールモード起動後のメール編集画面を表示する表示部１７を示している。上述したように、本実施の形態では、例えば、携帯電話機１の表示部１７には、上から宛先３７及びその入力欄、題名３８及びその入力欄、本文３９及びその入力欄、添付４０及びその入力欄が表示される。そして、添付４０の入力欄の下方には、例えば、表示部１７に表示されているメール編集画面の入力後に電子メールを送信する送信アイコン４１、メール編集画面の宛先３７、題名３８、本文３９または添付４０の入力を行う画面を表示させる決定アイコン４２及びメール編集画面を簡略して入力するためのメニューアイコン４３が表示される。それらのアイコン４１、４２、４３は、図１（Ａ）に示すキー操作部１８に対応しており、例えば、送信アイコン４１とメールキー１８３とが対応しており、決定アイコン４２とシャッターキー１９とが対応しており、メニューアイコン４３とカメラキー１８１とが対応している。そして、使用者が、表示部１７に表示された画像を確認し、キー操作部１８を操作することで、携帯電話機１では、上述したそれぞれの動作が行われる。
【００８６】
また、図８（Ｂ）では、図７のステップＳ５４におけるメール編集画面に送信先の電子メールアドレス、または、登録名前が表示される表示部１７を示している。本実施の形態では、使用者は、電子メールアドレスが対応して記憶されている１０キーを所定時間以上の間、連続して押下することで、所望の相手先に電子メールを送信することができる。そして、図示の如く、本実施の形態では、電子メールを送信する前に、例えば、表示部１７に表示された添付４０の選択欄の下方に、電子メールを送信させる送信アイコン４４及び電子メールの送信を中止する停止アイコン４５が表示される。
【００８７】
そのことで、使用者が、所望の送信先が記憶されている以外の１０キーを押下した場合においても、使用者は、メール編集画面の宛先３７に表示される電子メールアドレス３４により、その送信先を確認する。そして、使用者が、電子メールの送信を中止することを望む場合には、停止アイコン４５に対応するキー操作部１８、例えば、カメラキー１８１（図１（Ａ）参照）を押下することで、電子メールの送信を中止することができる。一方、使用者が、所望の送信先が記憶されている１０キーを押下した場合には、使用者は、メール編集画面の宛先３７に表示される電子メールアドレス３４を確認し、何ら操作を行わなくて良い。そうすると、電子メールは、所定時間の経過後に、メール編集画面の宛先３７に表示される電子メールアドレス３４先に送信される。また、本実施の形態では、使用者が、表示部１７により送信先を確認し、送信アイコン４４に対応するキー操作部１８、例えば、メールキー１８３（図１（Ａ）参照）を押下することで、電子メールを送信することも可能である。
【００８８】
つまり、上述したように、本実施の形態では、メール編集画面から電子メールを送信する場合においても、使用者は、メール編集画面の宛先３７に表示された送信先の電子メールアドレスを確認し、電子メールの送信の適否を判断できることができる。そのことで、使用者は、送信先の電子メールアドレスが記憶されている１０キーと異なった１０キーを押下したとしても、その電子メールの送信を中止出来るので、誤送信を無くすことができる。
【００８９】
また、本実施の形態では、表示部１７に表示されたメール編集画面に従い、本文３９入力欄等所望の欄を入力した後に、電子メールアドレスが対応して記憶されている１０キーを押下し、所望の相手先に電子メールを送信する。そのことで、使用者は、特に、入力文字数が多い本文３９入力欄を入力した後に、送信先を決定することができるので、急な送信先の変更により、本文３９入力欄等の入力等の操作を無駄にすることを無くすことができる。
【００９０】
また、図８（Ｃ）では、受信した電子メールを確認後、第３者にその電子メールを転送する場合のメール編集画面の表示部１７を示している。本実施の形態では、使用者は、受信した電子メールを第３者に転送することを望む場合には、例えば、図８（Ａ）に示すメニューアイコン４３に対応するキー操作部１８を押下し、図示する転送用のメール編集画面を表示させる。そして、使用者は、電子メールアドレスが対応して記憶されている１０キーを所定時間以上の間、連続して押下することで、所望の相手先に電子メールを転送することができる。尚、図示していないが、本実施の形態では、一度、送信した送信メールを別の宛先に再送信する場合にも適用することができる。
【００９１】
つまり、本実施の形態では、予め、送信先を選定することなく、メール編集画面の入力欄の中で、任意の順序で、且つ、少なくとも１つの欄を入力した後に、１０キーを押下することで、１０キーに対応付けて記憶されている電子メールアドレス先に電子メールを送信できる。そのことで、本実施の形態では、受信した電子メールを確認後、その電子メールの内容に応じて、送信先を選定し、受信した電子メールを転送することができる。そして、電子メールを転送、または、再送信する場合にも、その送信操作を簡略化することができる。尚、本実施の形態においても、電子メールを送信する前に、例えば、表示部１７に表示された添付４０の入力欄の下方に、電子メールの送信を中止する停止アイコン４５が表示される。そして、使用者は、送信先の電子メールアドレスを確認後、その電子メールの送信を中止出来るので、誤送信を無くすことができる。
【００９２】
上述したように、本実施の形態では、送信することを望む画像が表示された同一の表示画面に送信先の電子メールアドレスが表示される場合について説明したが、特に、この場合に限定する必要は無い。例えば、電子メールアドレスが別の表示画面に表示された後に、画像データが添付された電子メールが送信される場合でも、同様な効果を得ることができる。また、メール編集画面においても、宛先の入力欄に送信先の電子メールアドレスが表示される場合に限定される必要は無く、同様に、別の表示画面に電子メールアドレスが表示された後に、電子メールが送信されても良い。
【００９３】
また、本実施の形態では、使用者が、メールモード起動時において、例えば、キー操作部の所定のキーを所定時間以上の間、連続して押下することで、表示部に１０キーと対応する電子メールアドレスを表示させることもできる。その他、本発明の要旨を逸脱しない範囲で、種々の変更が可能である。
【００９４】
【発明の効果】
上述したように、第１に、本発明の携帯電話機器では、電子メールアドレスを所望の操作キーに対応させて記憶させている電子メールアドレス記憶手段を有し、使用者が、表示手段に表示された画像を確認し、前記操作キーを所定時間以上の間、連続して押下する。そのことで、本発明の携帯電話機器では、前記押下した操作キーに対応した電子メールアドレス先に、画像データを添付した電子メールを送信することができる。その結果、使用者は、表示手段に表示された画像データを確認した後、直ぐに、電子メールアドレスが対応して記憶されている操作キーを押下し、電子メールを送信できるので、その操作を簡略化することができる。
【００９５】
第２に、本発明の携帯電話機器では、使用者が、送信先を選定し、その電子メールアドレスが対応付けて記憶されている操作キーを押下すると、その送信先の電子メールアドレスを表示手段に表示させる。そのとき、本発明の携帯電話機器では、その表示手段に電子メールの送信を中止させる停止アイコンを表示させる。そのことで、本発明の携帯電話機器では、使用者は、電子メールアドレスが対応付けられた操作キーを押下した後、その送信先を可視的に確認することができる。そして、送信先が間違っていた場合には、使用者は、停止アイコンに対応する操作キーを押下し、電子メールの送信を中止することができる。その結果、使用者は、誤送信を無くすことができる。
【００９６】
第３に、本発明の携帯電話機器では、１つの操作キーに対し、複数の電子メールアドレスを対応して記憶させることができる。そのことで、本発明の携帯電話機器では、使用者が、予め、自己の使用実情に基づき、グループ毎に電子メールアドレスを登録することで、同じ電子メールを複数人に対し、簡単な操作で一度に送信することができる。
【００９７】
第４に、本発明の携帯電話機器では、電子メール編集手段を有し、使用者が、該電子メール編集手段に従い、所望の事項を入力した後、その電子メールを所望の電子メールアドレスが対応して記憶されている操作キーを押下することで、簡単に送信することができる。また、使用者が、受信した電子メールを確認した後、その電子メールを転送したい場合や、一度送信した送信メールを再送信したい場合には、所望の電子メールアドレスが対応して記憶されている操作キーを押下することで、簡単に転送、または、再送信することができる。
【図面の簡単な説明】
【図１】本発明の実施の形態である携帯電話機器の（Ａ）開いた状態での内側（キー面）から見た概観図、（Ｂ）閉じた状態での外側（背面）から見た概観図である。
【図２】同携帯電話機器の電気的構成を説明する概略機能ブロック図である。
【図３】同携帯電話機器のカメラモードを用いて取得した画像データの送信を説明するフローチャートである。
【図４】同携帯電話機器の画像選択モードから選択した画像データの送信を説明するフローチャートである。
【図５】同携帯電話機器の操作キーに対応して記憶されている電子メールアドレスを表示部に表示することを説明するための図である。
【図６】同携帯電話機器のメモリに記憶される１０キーと電子メールアドレスとの対応表を説明するための図である。
【図７】同携帯電話機器のメールモードを用いて電子メールの送信を説明するフローチャートである。
【図８】同携帯電話機器の操作キーに対応して記憶されている電子メールアドレスを表示部に表示することを説明するための図である。
【符号の説明】
１          カメラ付携帯電話機
２          スピーカー
３          マイク
４          第２表示部
５          背面キー
１１          制御部
１２          撮像部
１３          画像処理部
１４          第１メモリ
１５          第２メモリ
１６          表示ドライバ部
１７          表示部
１８          キー操作部
１９          シャッターキー
２０          バックライト
２１          画像圧縮処理部
２２          画像伸張処理部
２３          アンテナ
２４          無線部
２５          通信制御部
２６          画像切換え制御部
３４          電子メールアドレス
【図１】
2004312525.tif 000003
【図２】
2004312525.tif 000004
【図３】
2004312525.tif 000005
【図４】
2004312525.tif 000006
【図５】
2004312525.tif 000007
【図６】
2004312525.tif 000008
【図７】
2004312525.tif 000009
【図８】
2004312525.tif 000010